(57)【要約】【課題】  少なくとも塵粉と空気との混合ガスをガス供給手段により処理容器内に供給し、処理容器内の塵粉と空気との混合ガスに着火手段により着火し、この混合ガスの着火により処理容器内で粉塵爆発が生起され、この処理容器内の粉塵爆発により生じた爆発ガスの排風力により発電手段は発電駆動されると共に爆発ガスは排ガス手段により排出されることになり、このため、爆発的な激しい燃焼を起こす粉塵爆発の排風力により発電がなされるので、高出力の発電性能を得ることができる。【解決手段】  塵粉と空気との混合ガスを粉塵爆発させるための処理容器１と、該処理容器内に塵粉と空気との混合ガスを供給するガス供給手段２と、該処理容器内の混合ガスに着火するための着火手段３と、該処理容器内の粉塵爆発により生じた爆発ガスを排出するための排ガス手段４と、該爆発ガスの排風力により駆動される発電手段５とを具備してなる。【選択図】              図１
2005024221.tif 000002
【特許請求の範囲】
【請求項１】
少なくとも塵粉と空気との混合ガスを粉塵爆発させるための処理容器と、該処理容器内に塵粉と空気との混合ガスを供給するガス供給手段と、該処理容器内の混合ガスに着火するための着火手段と、該処理容器内の粉塵爆発により生じた爆発ガスを排出するための排ガス手段と、該爆発ガスの排風力により駆動される発電手段とを具備してなることを特徴とする粉塵爆発発電装置。
【請求項２】
上記粉塵として、木くず、廃プラスチック、シュレッダーダスト、下水汚泥等の産業廃棄物を炭化及び粉体化してなる炭化粉体を用いることを特徴とする請求項１記載の粉塵爆発発電装置。
【請求項３】
上記処理容器と排ガス手段との間に該処理容器を密閉開放させる開閉手段を設けてなることを特徴とする請求項１又は２記載の粉塵爆発発電装置。
【請求項４】
上記ガス供給手段は、上記粉塵を収納した粉塵容器と、空気を供給する空気供給手段と、該粉塵と該空気を混合させるための混合容器と、該塵粉と空気との混合ガスを上記処理容器内に拡散放出させる拡散ノズルからなることを特徴とする請求項１〜３のいずれか１項に記載の粉塵爆発発電装置。
【請求項５】
上記排ガス手段に上記爆発ガスの熱を回収するための熱交換器を設けてなることを特徴とする請求項１〜４のいずれか１項に記載の粉塵爆発発電装置。
【発明の詳細な説明】
【技術分野】
【０００１】
本発明は例えば木くず、廃プラスチック、シュレッダーダスト、下水汚泥等の産業廃棄物を炭化及び粉体化してなる炭化粉体を用いる粉塵爆発発電装置に関するものである。
【背景技術】
【０００２】
従来この種の産業廃棄物処理にあっては、埋め立て、海洋投棄、焼却処理されているが、埋め立て地等の処分場の問題、処理費の問題、海洋投棄の廃止化傾向により大きな社会問題となっている。
【特許文献１】特開２０００−３１０５８３号公報
【発明の開示】
【発明が解決しようとする課題】
【０００３】
しかしながらこれら産業廃棄物のリサイクル化に際しては、素材毎の分別が不可欠であり、手分別可能な大きなものはまだしも、各種素材の混合物などにあっては不可能に近く、このため、リサイクル化が困難となっていることがあるという不都合を有している。
【課題を解決するための手段】
【０００４】
本発明はこのような課題を解決することを目的とするもので、本発明のうちで、請求項１記載の発明にあっては、少なくとも塵粉と空気との混合ガスを粉塵爆発させるための処理容器と、該処理容器内に塵粉と空気との混合ガスを供給するガス供給手段と、該処理容器内の混合ガスに着火するための着火手段と、該処理容器内の粉塵爆発により生じた爆発ガスを排出するための排ガス手段と、該爆発ガスの排風力により駆動される発電手段とを具備してなることを特徴とする粉塵爆発発電装置にある。
【０００５】
又、請求項２記載の発明は、上記粉塵として、木くず、廃プラスチック、シュレッダーダスト、下水汚泥等の産業廃棄物を炭化及び粉体化してなる炭化粉体を用いることを特徴とするものであり、又、請求項３記載の発明は、上記処理容器と排ガス手段との間に該処理容器を密閉開放させる開閉手段を設けてなることを特徴とするものであり、又、請求項４記載の発明は、上記ガス供給手段は、上記粉塵を収納した粉塵容器と、空気を供給する空気供給手段と、該粉塵と該空気を混合させるための混合容器と、該塵粉と空気との混合ガスを上記処理容器内に拡散放出させる拡散ノズルからなることを特徴とするものであり、又、請求項５記載の発明は、上記排ガス手段に上記爆発ガスの熱を回収するための熱交換器を設けてなることを特徴とするものである。
【発明の効果】
【０００６】
本発明は上述の如く、請求項１記載の発明にあっては、少なくとも塵粉と空気との混合ガスをガス供給手段により処理容器内に供給し、処理容器内の塵粉と空気との混合ガスに着火手段により着火し、この混合ガスの着火により処理容器内で粉塵爆発が生起され、この処理容器内の粉塵爆発により生じた爆発ガスの排風力により発電手段は発電駆動されると共に爆発ガスは排ガス手段により排出されることになり、このため、爆発的な激しい燃焼を起こす粉塵爆発の排風力により発電がなされるので、高出力の発電性能を得ることができる。
【０００７】
又、請求項２記載の発明にあっては、上記粉塵として、木くず、廃プラスチック、シュレッダーダスト、下水汚泥等の産業廃棄物を炭化及び粉体化してなる炭化粉体を用いているから、産業廃棄物の処理に寄与することができ、又、請求項３記載の発明にあっては、上記処理容器と排ガス手段との間に処理容器を密閉開放させる開閉手段を設けているから、粉塵爆発及び排気を良好に行うことができ、又、請求項４記載の発明にあっては、上記ガス供給手段は、上記粉塵を収納した粉塵容器と、空気を供給する空気供給手段と、粉塵と空気を混合させるための混合容器と、塵粉と空気との混合ガスを上記処理容器内に拡散放出させる拡散ノズルからなるので、処理容器内での粉塵爆発を円滑に行うことができ、又、請求項５記載の発明にあっては、上記排ガス手段に爆発ガスの熱を回収するための熱交換器を設けているから、他の熱機器の補助熱源等に利用することができる。
【発明を実施するための最良の形態】
【０００８】
少なくとも塵粉と空気との混合ガスをガス供給手段により処理容器内に供給し、処理容器内の塵粉と空気との混合ガスに着火手段により着火し、この混合ガスの着火により処理容器内で粉塵爆発が生起され、この処理容器内の粉塵爆発により生じた爆発ガスの排風力により発電手段は発電駆動されると共に爆発ガスは排ガス手段により排出されることになり、このため、爆発的な激しい燃焼を起こす粉塵爆発の排風力により発電がなされるので、高出力の発電性能を得ることができる。
【実施例】
【０００９】
図１乃至図３は本発明の実施例を示し、大別して、処理容器１、ガス供給手段２、着火手段３、排ガス手段４及び発電手段５からなる。
【００１０】
この処理容器１は、例えば、木くず、廃プラスチック、シュレッダーダスト、下水汚泥等の産業廃棄物を炭化及び粉体化してなる炭化粉体が用いられる主に可燃性の塵粉Ｆと空気Ｅとの混合ガスＧを粉塵爆発させるための容器である。
【００１１】
２はガス供給手段であって、上記粉塵Ｆを収納したタンク状の粉塵容器２ａと、空気Ｅを供給する例えばエアーコンプレッサーからなる空気供給手段２ｂと、粉塵Ｆと空気Ｅを混合させるための混合容器２ｃと、塵粉Ｆと空気Ｅとの混合ガスＧを上記処理容器１内に拡散放出させる拡散ノズル２ｄからなる。この場合、空気供給手段２ｂと混合容器２ｃとの連通路２ｅに通過空気を加熱する加熱ヒータ２ｆが設けられ、かつ、この連通路２ｅを開閉可能な爆発ガスの逆止を兼ねた電磁弁としての切換弁２ｇを介装している。尚、この混合ガスＧにＬＰＧガス等の燃料を更に補助燃料として混合させることもある。
【００１２】
３は着火手段であって、処理容器１内の混合ガスＧに着火して粉塵爆発を生起させるものであり、処理容器１内に臨む着火具３ａが設けられ、例えば、電気式又はガス式着火構造のものが用いられる。
【００１３】
４は排ガス手段であって、上記処理容器１内の粉塵爆発により生じた爆発ガスＨを排出するための排出路４ａを備えててなり、この上記排ガス手段４の排出路４ａの先端部に上記爆発ガスＨの熱を回収するための熱交換器４ｂを設けて構成している。
【００１４】
５は発電手段であって、この場合、上記排ガス手段４の排出路４ａの途中に回転羽根５ａを回転自在に内装し、回転羽根５ａの回転軸５ｂに発電機５ｃを接続し、爆発ガスＨの排風力により回転羽根５ａを回転させ、回転羽根５ａの回転力を駆動源として発電機５ｃを駆動し、発電機ｃにより発電するように構成している。
【００１５】
６は開閉手段であって、エアーアクチュエータ等が用いられ、上記処理容器１と排ガス手段４との間に設けられ、この場合、処理容器１に開閉扉６ａ・６ａを支点軸６ｂ・６ｂを支点として開閉自在に設け、各開閉扉６ａ・６ａに粉塵爆発時には爆発ガスＨの圧力により開動作を許容すると共に非粉塵爆発時には開閉扉６ａ・６ａを閉動作し、これにより処理容器１を密閉又は開放させるように構成したものである。
【００１６】
この実施例は上記構成であるから、例えば、木くず、廃プラスチック、シュレッダーダスト、下水汚泥等の産業廃棄物を炭化及び粉体化してなる炭化粉体が用いられる塵粉Ｆと空気との混合ガスＧをガス供給手段２により処理容器１内に供給し、処理容器１内の塵粉Ｆと空気との混合ガスＧに着火手段３により着火し、この混合ガスＧの着火により処理容器１内で粉塵爆発が生起され、この処理容器１内の粉塵爆発により生じた爆発ガスＨの排風力により発電手段５は発電駆動されると共に爆発ガスＨは排ガス手段４により排出されることになり、このため、爆発的な激しい燃焼を起こす粉塵爆発の排風力により発電がなされるので、高出力の発電性能を得ることができる。
【００１７】
又、この場合、上記粉塵Ｆとして、木くず、廃プラスチック、シュレッダーダスト、下水汚泥等の産業廃棄物を炭化及び粉体化してなる炭化粉体を用いているから、産業廃棄物の処理に寄与することができ、又、この場合、上記処理容器１と排ガス手段４との間に処理容器１を密閉開放させる開閉手段６を設けているから、図２の如く、非粉塵爆発時には開閉扉６ａ・６ａを閉動作し、図２から図３の如く、粉塵爆発時には爆発ガスＨの圧力により開動作を許容するので、粉塵爆発及び排気を良好に行うことができ、又、この場合、上記ガス供給手段２は、上記粉塵Ｆを収納した粉塵容器２ａと、空気を供給する空気供給手段２ｂと、粉塵Ｆと空気Ｅを混合させるための混合容器２ｃと、塵粉Ｆと空気Ｅとの混合ガスＧを上記処理容器内に拡散放出させる拡散ノズル２ｄからなるので、処理容器１内での粉塵爆発を円滑に行うことができ、又、この場合、上記排ガス手段４に上記爆発ガスＨの熱を回収するための熱交換器４ｂを設けているから、他の熱機器の補助熱源等に利用することができる。
【００１８】
尚、本発明は上記実施例に限られるものではなく、処理容器１の構造や材質、大きさ等は適宜なものが用いられ、ガス供給手段２、着火手段３、排ガス手段４、発電手段５、開閉手段６の構造や数等は適宜変更して設計される。又、この場合、空気Ｅと粉塵Ｆとの混合ガスＧを粉塵爆発させているが、粉塵中に不燃性の粉塵が含まれていた場合のことを考慮し、この混合ガスＧ中にＬＰＧガス等の燃料を更に補助燃料として混合させ、粉塵爆発の爆発ガスＨの完全燃焼を期するように構成することもある。
【００１９】
以上、所期の目的を充分達成することができる。
【図面の簡単な説明】
【００２０】
【図１】本発明の実施例の全体説明構成系統図である。
【図２】本発明の実施の例の部分断面図である。
【図３】本発明の実施例の部分拡大断面図である。
【符号の説明】
【００２１】
Ｆ  粉塵
Ｅ  空気
Ｇ  混合ガス
Ｈ  爆発ガス
１  処理容器
２  ガス供給手段
２ａ  粉塵容器
２ｂ  空気供給手段
２ｃ  混合容器
２ｄ  拡散ノズル
３  着火手段
４  排ガス手段
４ｂ  熱交換機
５  発電手段
６  開閉手段
【図１】
2005024221.tif 000003
【図２】
2005024221.tif 000004
【図３】
2005024221.tif 000005